Podtech/llm-jp-corpus-v4-ja_patent huggingface dataset:
(57)【要約】　　　（修正有）【課題】左右に開閉できる引戸としても、前後に開閉できるドアーとしても使用できる段差の無い引戸フレーム付きドアを提供する。【解決手段】引戸式ガイドレール付きフレーム１とローラー付きドア外枠フレーム２とドアフレーム３で構成する。引戸式ガイドレール付きフレームを天井、床等にビス１８などで固定する。さらに、ローラー付きドア外枠フレームを組み込んでローラー付きドア外枠フレームとドアフレームをちょうつがい２２で連結固定する。ドア本体２１だけが天井、床面から出る様に取付ける事により段差を解消する。【選択図】　図１
0003099844.tif 000002
【実用新案登録請求の範囲】
【請求項１】
引戸ガイドフレーム付きフレーム（１）とローラー付きドア外枠フレーム（２）とドアフレーム（３）とで構成されて成り通常使用されるドア。
【請求項２】
図面、図１、図３に示す通り引戸式ガイドレール付きフレーム（１）とローラー付きドア外枠フレーム（２）をドア、スライド止め凹金具（９）ドア、スライド止め凸金具（１０）を連結固定する事によって、ドア、本体（２１）を開閉する事が出来るドア。
【請求項３】
請求項１、請求項２をもって、一般住宅の間切に使用される引戸フレーム付きドア。
【考案の詳細な説明】
【０００１】
【考案が属する技術分野】
この考案は、引戸ガイドレール付きフレーム（１）とローラー付きドア外枠フレーム（２）とドアフレーム（３）とで構成されており、ドアスライド止め凹金具（９）とドアスライド止め凸金具（１０）で連結固定をなしドア本体（２１）を開閉するドアである。
【０００２】
【従来の技術】
従来のドアにおいては、通常使用されているドアなどはドア外枠固定形式で有りドア本体、およびドア外枠までスライド移動、収納出来るドアはなかった。
【０００３】
【考案が解決しようとする課題】
本考案は、最も新しい形式、構成のもとに成るドアである。
（１）従来のドアは、ドア本体を固定する外枠は固定式で有り取りはずす事などは簡単に出来なかったので家具や電化製品など搬入する、かつ移動に当たり不便であったのに対し、本考案はワンタッチで移動収納出来るので通路は、ドアや外枠などが収納されるので通り安く成るので便利である。
（２）幼児、老人、歩行弱者が住む住宅などにおいては、ドアそのものを移動収納する事により床面の段差がなく成り足元のつまづき及び車椅子、歩行機などにより室内を移動するに便利である。
よって、本考案は従来のドアのもつ不便さだけを解消し便利さを生じ快適な住まい作りを目的とする。
【０００４】
【課題を解決するための手段】
この考案は、床面の段差をなくす事と通路面を広くし使用する為に以下のような構成により解消解決する。
引戸式ガイドレール付きフレーム（１）とローラー付きドア外枠フレーム（２）とドアフレーム（３）で構成されているドアである。
まず、引戸式ガイドレール付きフレーム（１）を天井、壁、床にビス（１８）などコンクリートなどにはアンカーなどで固定をする。さらに、ローラー付きドア外枠フレーム（２）を組み込んでローラー付きドア外枠フレーム（２）とドアフレーム（３）をちょうつがい（２２）で連結固定するが、ドア本体（２１）だけが天井及び壁及び床面から出る様に取り付ける事により上記の段差などを解消する。
【０００５】
【考案の実施の形態】
本考案は、図面、図１、図２、図３に示す通りの構成から成り前記の
【考案の属する技術分野】
【従来の技術】に記載してある形態の元に実施する。
【０００６】
【実施例】
本考案の１，実施例であるが
まず、周囲の天井、壁、床面などに引戸式ガイドレール付きフレーム（１）をビス（１８）などで取付け固定する。固定出来たならばローラー付きドア外枠フレーム（２）を組み込んでドアフレーム（３）ドア本体（２１）を、ビス（１８）をもちいて、かつ、ちょうつがい（２２）をもって連結する事によりドア本体（２１）が通常のドアとして引戸として機能する。
開閉に関して説明をすれば、まず上記にある完了の段階でドア収納袋（４）の中にある状態からであるが電車連結車輌部に取り付けてある引戸の取手金具の様なもの、すなわちドア、収納引込取手金具（７）を使用して引戸の様に締め閉じる。閉じてからドアスライド止め凹金具（９）にドアスライド止め凸金具（１０）を回し固定をすると通常のドアとして、ドア本体（２１）を開閉出来る。
【０００７】
【考案の効果】
この考案は以下の様な優れた効果を奏する。
（１）床面に対する段差を無くし幼児、老人、歩行弱者が通行し安い。
（２）通常使用されておる引戸として、ドアとして気分に合わせ両方に使用出来る。
（３）ドア固定枠が簡単に収納されるので広く成るので大物家具などの移動に便利である。
【図面の簡単な説明】
【図１】この考案の１，実施例を示した正面図。
【図２】この考案の１，実施例を示した横切断面図
【図３】この考案の１，実施例を示した立切断面図
【符号の説明】
１　引戸式ガイドレール付きフレーム
２　ローラー付きドア外枠フレーム
３　ドアフレーム
４　ドアー収納袋
５　ドアノブ
６　ドアノブ収納切込部
７　ドア収納用引込取手金具
８　ドアスライド止め凹金具
９　ドアスライド止め凹金具
１０　ドアスライド止め凸金具
１１　ビス
１２　ドア止具
１３　クッション材
１４　クッション材
１５　スライド用ガイドレール
１６　スライド用ガイドレール
１７　ローラー
１８　ビス
１９　ドア止具
２０　ドア取付床
２１　ドア本体
２２　ちょうつがい
【図１】
0003099844.tif 000003
【図２】
0003099844.tif 000004
【図３】
0003099844.tif 000005
(57)【要約】　　　（修正有）【課題】最近レジャー指向が高まり海、川、湖などのボート遊びや夜釣りに行かれる方が増えて来ています。夜間にボートの転覆や釣りをしている時に誤って落ちた場合など、暗いので何処にいるのかわかりにくい。このような場合に短時間の内に救助することを可能にする。【解決手段】安全確認信号ボールを使用することにより、海、川、湖などに落ちた場合は瞬時に電源が入り点滅信号をだすので、速やかに救助する事が可能になる。尚ＳＯＳなどのモールス信号を出す事により離れていてもトラブルの内容を知る事が出来るので問題の解決が容易になる。陸上仕様の場合スイッチは手動操作になる。【選択図】図２
0003099842.tif 000002
【実用新案登録請求の範囲】
【請求項１】
ＬＥＤ．電池．電源スイッチ．水分検出スイッチ．モールス信号発生回路．組合せによる光り信号発生器
【考案の詳細な説明】
【０００１】
【考案が解決しようとする課題】
最近レジャー指向が高まり海、川、湖などのボート遊びや夜釣りに行かれる方が増えて来ています、夜間にボートの転覆や釣りをしている時に誤って落ちた場合など、暗いので何処にいるのかわかりにくい、このような場合には短時間の内に救助するのは難しい，陸上での遭難の場合も暗い所では同様である。
【０００２】
【課題を解決するための手段】
遭難救助灯を使用することにより、海、川、湖などに落ちた場合は瞬時に電源が入り点滅信号をだすので、速やかに救助する事が可能になる、陸上仕様の場合は手動スイッチによる作動による。
【０００３】
【考案の効果】
点滅信号により速やかに救助する事が可能になる、尚ＳＯＳなどのモールス信号を出す事により離れていてもトラブルの内容を知る事が出来るので問題の解決が容易になる。
【０００４】
【産業上の利用分野】
海運、自動車、レジャー
【図面の簡単な説明】
【図１】遭難救助灯ブロック図
【図２】遭難救助灯外観図
【符号の説明】
１．電池
２．ＬＥＤ
３．スイッチ
４．水分感知電極
５．スタンド
６．透明樹脂ケース
７．基板
８．ＬＥＤ取付ボール
【図１】
0003099842.tif 000003
【図２】
0003099842.tif 000004
【手続補正書】
【提出日】平成15年8月21日(2003.8.21)
【手続補正１】
【補正対象書類名】明細書
【補正対象項目名】実用新案登録請求の範囲
【補正方法】変更
【補正の内容】
【実用新案登録請求の範囲】
【請求項１】
電源に電池を用いて、電源スイッチまたわ水分検出スイッチがＯＮ時にマイクロコンピューターを用いたモールス信号発生回路によりＬＥＤを発光させる、光り信号発生器
(57)【要約】　　　（修正有）【課題】場所を選ばずいつでもどこでも、人目を気にせず簡単で快適な授乳ができるようにした授乳用目隠しの提供。【解決手段】正方形状のクロースを三角形状に折り、長辺の両端にベルトＡとベルトＢを設ける。【選択図】図１
0003099846.tif 000002
【実用新案登録請求の範囲】
【請求項１】
正方形状の▲１▼クロースを三角形状に折り、長辺の両端に▲２▼ベルトＡ、▲３▼ベルトＢを設ける。あらかじめ▲２▼ベルトＡと▲３▼ベルトＢの長さを調節し、▲１▼クロースを肩から腰元にたすき掛けにして使用する授乳用目隠し『授乳チュウ』
【考案の詳細な説明】
【考案の詳細な説明】
【産業上の利用分野】
【０００１】この考案は母乳育児をしている母親が、外出時にいつでもどこでも周囲の視線を気にすることなく授乳を可能にすることを目的としたものです。
【背景技術】
【０００２】従来は主に授乳室に限定されていた。
【考案が解決しようとする課題】
【０００３】これは次のような欠点があった。
（イ）授乳場所が限られる。
（ロ）限られた場所以外での授乳では周囲からの視線が気になる。
本考案は、これらの欠点を除くためになされたものである。
【課題を解決するための手段】
【０００４】正方形状の▲１▼クロースを三角形状に折り、長辺の両端に▲２▼ベルトＡと▲３▼ベルトＢを設ける。あらかじめ▲２▼ベルトＡ、▲３▼ベルトＢの長さを調整しておき、乳児を抱き、肩から腰元にたすき掛けにして授乳をする。
【作用】
【０００５】あらかじめ▲２▼ベルトＡ、▲３▼ベルトＢの長さの調整をし、肩から腰元へたすき掛けにして使用する。
【０００６】以下、本考案の実施例について説明する。
内側に折り込んである▲１▼クロースを、あいている手で肩にめくり上げることで周囲からの胸元への視線を遮断できる。また、肩にめくり上げた内側の▲１▼クロースの間から授乳の様子を確認できる。そのため、母子共に安心して授乳をすませる事ができる。
本考案は正方形状であるため、外出時のちょっとした防寒用おくるみとしても利用でき、また、ふろしき代わりとしも、使用できる。
【考案の効果】
【０００７】コンパクトに収納でき、場所を選ばずいつでもどこでも簡単に、人目を気にせず快適な授乳ができる。
【図面の簡単な説明】
【図１】　本考案の使用状態を示す斜視図
【図２】　本考案の平面図
【符号の説明】
▲１▼クロース
▲２▼ベルトＡ
▲３▼ベルトＢ
【図１】
0003099846.tif 000003
【図２】
0003099846.tif 000004
【手続補正書】
【提出日】平成15年9月8日(2003.9.8)
【手続補正１】
【補正対象書類名】明細書
【補正対象項目名】全文
【補正方法】変更
【補正の内容】
　　【書類名】明細書　　【考案の名称】授乳用クロース　　【考案の詳細な説明】　　【０００１】　　【産業上の利用分野】この考案は母乳育児をしている母親が、外出時にいつでもどこでも周囲の視線を気にすることなく授乳を可能にすることを目的としたものです。　　【０００２】　　【背景技術】従来は主に授乳室に限定されていた。　　【０００３】　　【考案が解決しようとする課題】これは次のような欠点があった。（イ）授乳場所が限られる。（ロ）限られた場所以外での授乳では周囲からの視線が気になる。本考案は、これらの欠点を除くためになされたものである。　　【０００４】　　【課題を解決するための手段】正方形状の▲１▼クロースを三角形状に折り、長辺の両端に▲２▼ベルトＡと▲３▼ベルトＢを設ける。あらかじめ▲２▼ベルトＡ、▲３▼ベルトＢの長さを調整しておき、乳児を抱き、肩から腰元にたすき掛けにして使用する授乳用クロース。　　【０００５】　　【作用】あらかじめ▲２▼ベルトＡ、▲３▼ベルトＢの長さの調整をし、肩から腰元へたすき掛けにして使用する授乳用クロース。　　【０００６】以下、本考案の実施例について説明する。内側に折り込んである▲１▼クロースを、あいている手で肩にめくり上げることで周囲からの胸元への視線を遮断できる。また、肩にめくり上げた内側の▲１▼クロースの間から授乳の様子を確認でき、そのため、母子共に安心して授乳をすませる事ができる。本考案は正方形のクロースを三角形に折って使用しているため、外出時のちょっとした防寒用おくるみとしても利用でき、また、ふろしき代わりとしも、使用できる。　　【０００７】　　【考案の効果】コンパクトに収納でき、場所を選ばずいつでもどこでも簡単に、人目を気にせず快適な授乳ができる。　　【図面の簡単な説明】　　【図１】　本考案の使用状態を示す斜視図　　【図２】　本考案の平面図　　【符号の説明】▲１▼クロース▲２▼ベルトＡ▲３▼ベルトＢ【手続補正２】
【補正対象書類名】実用新案登録請求の範囲
【補正対象項目名】全文
【補正方法】変更
【補正の内容】
【実用新案登録請求の範囲】
【請求項１】
正方形状の▲１▼クロースを三角形状に折り、長辺の両端に▲２▼ベルトＡ、▲３▼ベルトＢを設け、あらかじめ▲２▼ベルトＡと▲３▼ベルトＢの長さを調節し、▲１▼クロースを肩から腰元にたすき掛けにして使用する授乳用クロース
(57)【要約】　　　（修正有）【目的】冬期間に冷えたピアノペダルを短時間に暖め，梅雨期や冬期に使用する暖房によってピアノが何よりも嫌う湿気による損耗を，簡便な方式で補うことができる器具を提供する。【構成】電熱式の布状の保温マット１はピアノカバー２の内側に装着する後付けができ，ピアノペダルの裏のえぐり部分に保温マット１を固着する。【選択図】図１
0003099841.tif 000002
【実用新案登録請求の範囲】
【請求項１】
冷えたピアノペダルを袋状のピアノペダルカバー（２）の内側に装着してピアノペダルに履かせ暖める電熱式の保温マツト（１）。
【請求項２】
ピアノペダル裏側のえぐり部分（１０）に固着することによりピアノペダル奥までの全体を暖めピアノケース（３）内部までをも暖めて一定温度を保たせ室温の温度変化を減少させ湿気を防止する保温マット（１）。
【考案の詳細な説明】
【０００１】
［産業上の利用分野］
この考案は，冬期間や梅雨期に体験するピアノペダルの冷たさや，室温の寒暖差により発生する結露現象の湿気によるピアノ弦の錆びや，打鍵機構ほかピアノ内部全般に悪影響を起す湿気を除去してピアノ損耗を最小限に防止し，一年を通じて快適に使用できるアップライト型ピアノのペダル保温マット（１）に関するものである。
【０００２】
［従来の技術］
従来このようなピアノペダルの保温器具やピアノペダル保温を兼ねた除湿器具はない。
【０００３】
［考案が解決しようとしている課題］
ピアノのペダルは金属で造られているため，冬期間に暖房を切ったあとは室温の低下と共に冷え，暖房を開始してもペダルは室温の高さまで上昇するのに時間を要する。ピアノペダルは演奏上必要欠くべからざるものであり，履物なしでは冷たいペダルは不快感がある。又，室温の変化によって生じるる結露現象の湿気によつてピアノケース内（３）にあるピアノ弦の錆びや打鍵機構などの腐食を促進することが防止できることをペダル保温と同時に行うことを目的としている。
【０００４】
［問題を解決するための手段］
上記目的を達成するため，電気回路図［図　２］に示すように摂氏２０度を下限３０度を上限として作動する温度サーモユニット（６）を内臓する電源アダプター（７）を経て布状のピアノペダル保温マツト（１）を袋状のピアノペダルカバー（２）の内側に後付け用として装着する。［図−１］
固着式はピアノ生産段階でピアノペダルの裏のえぐり部分（１０）に保温マット（１）を組み込むことでペダルの保温とペダル奥までを伝導熱で暖めることによりピアノケース（３）内が一定温度で暖まることで，温度変化による結露現象を防止する。〔図９〕
【０００５】
［作　用］
後付け用は，袋状のピアノペダルカバー（２）の内側に保温マット（１）を筒状に挿入し［図−１］の状態にして電源と接続する。
固着式は，ピアノの生産段階でペダルの裏側のえぐり部分（１０）に保温マット（１）を［図−９］の如く固着し電源コードをピアノケース（３）内部から［図−１２］の如くケースの外に出して電源と接続する。
【０００６】
［考案の効果］
本考案は以上説明したように構成されているので以下に記載されるような効果を奏する。
金属材料で造られているピアノペダル（４）は室温が低下している時には冷え切っており，室温を上昇させてもペダルの温度は室温とは比例して上昇せず，ピアノ使用時に不快感があるが，保温マット（１）を作動させることにより短時間で暖めることができる。又，ピアノケース（３）内まであるペダルの奥まで熱伝導によつて暖められるので，概密閉されているピアノケース（３）内部がいつも一定温度を保つことができて結露の発生が無く，更にケース内部へのピアノ乾燥剤の必要も無くなり，ピアノに最適な温度２２度湿度５０度から６０度を保つことができ，快適にピアノが使用できる。
【図面の簡単な説明】
【図　１】ピアノペダル保温マットの仕組みを示す斜視図
【図　２】ピアノペダル保温マット電気回路図
【図　３】ピアノペダルの平面図
【図　４】ピアノペダルの背面図
【図　５】ピアノペダルの断面図　Ａ−Ａ‘
【図　６】保温マットの平面図
【図　７】後付け用の保温マットの使用例を示す平面図
【図　８】保温マットをペダルカバーに挿入してペダルに装着した断面図　Ｂ−Ｂ‘
【図　９】ピアノペダルの裏のえぐり部分に保温マットを固着した背面図
【図１０】ピアノペダルの裏のえぐり部分に固着した保温マットの断面図　Ｃ−Ｃ‘
【図１１】後付け用の保温マットの使用例を示す正面図
【図１２】固着式の保温マットの使用例を示す正面図
【符号の説明】
１　保温マット
２　ピアノペダルカバー
３　ピアノケース
４　ピアノペダル
５　ペダルセンターピン
６　温度サーモユニット
７　電源アダプター
８　電気コード
９　プラグ
１０　ピアノペダル裏のえぐり部分
【図１】
0003099841.tif 000003
【図２】
0003099841.tif 000004
【図３】
0003099841.tif 000005
【図４】
0003099841.tif 000006
【図５】
0003099841.tif 000007
【図６】
0003099841.tif 000008
【図７】
0003099841.tif 000009
【図８】
0003099841.tif 000010
【図９】
0003099841.tif 000011
【図１０】
0003099841.tif 000012
【図１１】
0003099841.tif 000013
【図１２】
0003099841.tif 000014
【手続補正書】
【提出日】平成15年8月22日(2003.8.22)
【手続補正１】
【補正対象書類名】明細書
【補正対象項目名】実用新案登録請求の範囲
【補正方法】変更
【補正の内容】
【実用新案登録請求の範囲】
【請求項１】
略四角形の筒状に巻けるマット状の電熱式の保温器であって，温度サーモユニット（６）と電源アダプター（７）及びプラグ（９）が電気コード（８）で接続されているものからなり，保温マット（１）部分をピアノペダルカバー（２）の内側に装着するピアノペダル保温マット（１）。
【請求項２】
請求項１のピアノペダル保温マット（１）を，図９に示すように，ピアノペダル裏のえぐり部分（１０）に固着し，熱伝導によりピアノケース（３）内まで伸びているピアノペダル奥までの全体を暖め，ピアノケース（３）内部をも暖めるピアノペダル保温マット（１）。
(57)【要約】【課題】ゴルフのパッティングの練習において、パッティングした当該ゴルフボールを自動的に手元まで撥ね返すようになして練習効率を高め得るきわめて便利なパッティング練習機を提供する。【解決手段】ゴルフボールＡを導入し得るように傾斜面７を付設してなるグリーン上のカップに見立てたカップ代用部１を設けると共に該カップ代用部１内にゴルフボールＡがカップインすると作動する適宜なスイッチ９を設け、且つ、該カップ代用部１の後背位置に進退動可能な打撃ヘッド１２を配設し、ゴルフボールＡがカップインしてスイッチ９が作動すると、該打撃ヘッド１２を起動して当該ゴルフボールＡを撥ね返すように構成した。【選択図】　　　　図１
0003099847.tif 000002
【実用新案登録請求の範囲】
【請求項１】
ゴルフボールＡを導入し得るように傾斜面７を付設してなるグリーン上のカップに見立てたカップ代用部１を設けると共に該カップ代用部１内にゴルフボールＡがカップインすると作動する適宜なスイッチ９を設け、且つ、該カップ代用部１の後背位置に進退動可能な打撃ヘッド１２を配設し、ゴルフボールＡがカップインしてスイッチ９が作動すると、該打撃ヘッド１２を起動して当該ゴルフボールＡを撥ね返すように構成したことを特徴とするパッティング練習機。
【考案の詳細な説明】
【０００１】
【考案の属する技術分野】
本考案は、パッティング練習機に関するものである。
【０００２】
【考案が解決しようとする課題】
本考案は、ゴルフのパッティングの練習において、パッティングした当該ゴルフボールを自動的に手元まで撥ね返すようになして練習効率を高め得るきわめて便利なパッティング練習機を提供することを目的とするものである。
【０００３】
【課題を解決するための手段】
上記目的を達成するための本考案の構成を実施の形態を用いて説明すると、本考案に係るパッティング練習機は、ゴルフボールＡを導入し得るように傾斜面７を付設してなるグリーン上のカップに見立てたカップ代用部１を設けると共に該カップ代用部１内にゴルフボールＡがカップインすると作動する適宜なスイッチ９を設け、且つ、該カップ代用部１の後背位置に進退動可能な打撃ヘッド１２を配設し、ゴルフボールＡがカップインしてスイッチ９が作動すると、該打撃ヘッド１２を起動して当該ゴルフボールＡを撥ね返すように構成したことを最も主要な特徴とするものである。
【０００４】
【考案の実施の形態】
以下に、本考案の実施の形態を実施例に基づき図面を参照して説明する。
【０００５】
【実施例】
本考案に係るパッティング練習機は、ゴルフコースにおけるグリーン上のカップに見立てたカップ代用部１とその後背位置に設置した内部構造室２のカバー部３とを有するモノコック体４とその底面部に嵌合固定する底基板５とを有している。
【０００６】
カップ代用部１はグリーン上のカップの直径寸法に略相当する横幅の正面開口６を有するように設定することが望ましく、若干後ろ下がりの傾斜面或いは浅い凹曲面等から形成されると共にその前端部にはゴルフボールを円滑に導入し得る前下がりの傾斜面７を設けている。
【０００７】
該カップ代用部１内における所定部位に、傾斜面７から導入したゴルフボールＡの底周面中心部分が嵌り込むに足る穴又は凹み等で形成したボール嵌り部８を設け、該ボール嵌り部８の底部にゴルフボールＡが嵌り込むとその自重で押圧され電気回路を閉じるスイッチ９を配設している。
【０００８】
モノコック体４のカバー部３におけるカップ代用部１の後背部位には穿孔１０が設けられ、該穿孔１０の後方位置に撥ね返し起動装置１１で起動する打撃ヘッド１２を配設している。
【０００９】
打撃ヘッド１２は、図４及び図５に示すように所定範囲内を進退動可能に設けられた移動体１３の先端部に一体に取設されており、　該移動体１３はスプリング１４によってボール嵌り部８に嵌り込んだ当該ゴルフボールＡを打撃ヘッド１２で打撃して撥ね返し得るように矢印方向に付勢されている。
【００１０】
撥ね返し起動装置１１は、移動体１３に隣接して設けられ、図４及び図５に示すように駆動モーター１５で駆動される減速装置１６を介してクランクアーム状の退動ストッパー１７を回動するように起動し、該退動ストッパー１７の作動端を移動体１３の切欠き１８に係合させている。該退動ストッパー１７の作動端には切欠き１８に円滑に係合するようにローラー等の回転体を嵌合付設することが好ましい。
【００１１】
該退動ストッパー１７は、移動体１３をその付勢力に抗して矢印と反対の方向に強制的に退動待機させ、ボール嵌り部８にゴルフボールＡが嵌り込んでスイッチ９が作動すると、退動ストッパー１７を矢印方向に回動させ、該退動トッパー１７の作動端を切欠き１５との係合から離脱させて移動体１３の退動待機を解除し、移動体１３を解放してその付勢力で矢印方向に強く進動させる。これにより、打撃ヘッド１２がボール嵌り部８に嵌り込んだ当該ゴルフボールＡを打撃して撥ね返す。
【００１２】
その後、退動ストッパー１７はその回動を継続し、進動した移動体１３の切欠き１８との係合を回復して、移動体１３をその付勢力に抗して強制的に退動させる。
退動した移動体１３は、所定位置でリミットスイッチ１９に当接して電気回路を開き、退動ストッパー１７の回動を停止し、移動体１３をその図示状態の退動位置で停止、待機させる。
【００１３】
図中の２０は乾電池ケース、２１はフラッグ差込孔、２２はコードを示す。
【００１４】
【考案の効果】
本考案は、上記のように構成されるので、パッティングの練習者が、本考案パッチング練習機を任意位置に置き、その正面開口６に向かってパッティングして、カップに見立てたカップ代用部１にゴルフボールＡをカップインさせると、打撃ヘッド１２が起動してカップインした当該ゴルフボールＡを打撃し、自動的に練習者の手元まで撥ね返させることができるので、ゴルフボールＡを手で戻す必要がなく、きわめて便利であって練習効率を高め得ることができる。これにより、自宅、オフィス等で楽しく手軽に効率よくパッティングの練習を行うことができる優れた実用的効果を奏する。
【図面の簡単な説明】
【図１】平面図である。
【図２】正面図である。
【図３】内部構造を省略した中央部縦断面図である。
【図４】内部構造を説明する平面図である。
【図５】内部構造を説明する部分側面図である。
【符号の説明】
１　　カップ代用部
２　　内部構造室
３　　カバー部
４　　モノコック体
５　　底基板
６　　正面開口
７　　傾斜面
８　　ボール嵌り部
９　　スイッチ
１０　　穿孔
１１　　撥ね返し起動装置
１２　　打撃ヘッド
１３　　移動体
１４　　スプリング
１５　　駆動モーター
１６　　減速機構
１７　　退動ストッパー
１８　　切欠き
１９　　リミットスイッチ
２０　　乾電池ケース
２１　　フラッグ差込孔
２２　　コード
Ａ　　ゴルフボール
【図１】
0003099847.tif 000003
【図２】
0003099847.tif 000004
【図３】
0003099847.tif 000005
【図４】
0003099847.tif 000006
【図５】
0003099847.tif 000007
(57)【要約】　　　（修正有）【課題】携帯電話で例を挙げるなら入力ボタンに拠点がない故、入力効率が悪く、尚且つ、おを入力する場合あいうえおと５回ボタン押し表示確認、見過ごした場合再度入力直し、全く繁雑致し方なく、ローマ字入力は新な方式で入力、目の不自由なる方の入力は困難極まり無い。尚、英字に於いては文字配列がランダムで入力文字が何処に位置するか検索するのに難を起因明確である現況課題を有する。【解決手段】日本語の原理を仕様する事で日本語入力を容易に且つ、効率良くし、三列の入力ボタンを配置、左記三列の入力ボタンのうち一列は母音入力用、除いた二列に子音入力用としてボタンを配置、文節入力は学習表示利用する事で目の不自由な方にも入力対応を容易にし、且つローマ字変換機能ボタンにより効率的にローマ字変換。種々なる形状ボタンを配し入力の楽しさ図ると共に列位置中央部文字に同一形状ボタン配し入力拠点形成に拠り入力効率良くする。英文字はボタン各個に一定数値英文字二個配分検索の問題点の解決図ろうとするものである。【選択図】　　図１
0003099808.tif 000002
【実用新案登録請求の範囲】
【請求項１】
日本語の原理を仕様する事で日本語入力を容易に且つ、効率良くし、入力装置面に三列の入力ボタンを配置、左記三列の入力ボタンのうち一列は母音入力用、除いた二列に子音入力用として入力ボタンを配置、確実なる日本語入力は母音ボタン一回、子音は二回、濁音、半濁音、拗音、促音はその母音、子音に位置する順位に付加した回数でボタン押し、文節入力は学習表示で一回又は二回ボタン押す、目の不自由な方にも入力対応可能にし且つローマ字変換機能ボタンにより効率的にローマ字変換可能にした効率的な入力装置。
【請求項２】
英文字は請求項１入力ボタン各個に一定数値英文字二個配分、目の不自由な方にも入力対応可能にした効率的な入力装置。
【請求項３】
請求項１入力ボタンに複数形状のボタンを設け、列位置中央部文字に同一形状ボタンを入力拠点とて配し、種々なるボタンを有することで楽しく入力効率計ると共に目の不自由な方も入力対応可能にした効率的な入力装置。
【考案の詳細な説明】
【考案の詳細な説明】
〔考案の属する技術分野〕
【０００１】目の不自由な方も入力対応可能にした楽しい効率的な入力装置。
〔従来の技術〕
【０００２】携帯電話で例を挙げるなら入力ボタンに拠点がない故、入力効率が悪く、尚且つ、おを入力する場合あいうえおと５回ボタン押し表示確認、見過ごした場合再度入力直し、全く繁雑致し方なく、ローマ字入力は新な方式で入力、目の不自由なる方の入力は困難極まり無い。
　尚、英字に於いては文字配列がランダムで入力文字が何処に位置するか検索するのに難を起因明確である。
〔考案が解決しようとする課題〕
【０００３】携帯電話で例を挙げるなら入力ボタンに拠点がない故、入力効率が悪く、尚且つ、おを入力する場合あいうえおと５回ボタン押し表示確認、見過ごした場合再度入力直し、全く繁雑致し方なく、ローマ字入力は新な方式で入力、目の不自由なる方の入力は困難極まり無い。
　尚、英字に於いては文字配列がランダムで入力文字が何処に位置するか検索するのに難を起因明確である現況課題を解決しようとするものである。
〔問題を解決するため手段〕
【０００４】日本語の原理を仕様する事で日本語入力を容易に且つ、効率良くし、列位置中央部文字に同一形状ボタン配し入力拠点形成し、文字入力は三列の入力ボタンを配置、左記三列の入力ボタンのうち一列は母音入力用、除いた二列に子音入力用として入力ボタンを配置、文節入力は学習表示おも利用する事で目の不自由な方にも入力対応を容易にし、且つローマ字変換機能ボタンにより効率的にローマ字変換。
　英文字はボタン各個に一定数値英文字二個配分検索の問題点の解決図ろうするものである。
〔考案の実施の形態〕
【０００５】目の不自由な方も入力対応可能にした効率的な入力装置。
〔考案の効果〕
今日ＩＴＩＴの囃、産業界は凌ぎを削る開発競争、本当に人々の幸せをベーシックにした取組だろうか、どこか間違って居る思いに駆られるのは自分だけなのか、先日の新聞で何処でもネットで空と接続、電源をマイクロ波で端末と・・・現在利用されている携帯、各種通信機器全く魔法使いの様な構造物であるように思われるが果たして人々全体が喜び合って共有できるであろうか、目の不自由な方如何であろうか、この恩恵を享受出来るであろうか？メール入力一例あげても不都合極まりない、もう日本の社会は４人１人の老人社会に突入、その対策を急がねばならない時期ではないか、この自分も何時その失明の事態に遭遇するかも知れない、時間に拘束されることの無いメール入力等で自分の意思を静かに伝え得るならどれだけ助かることだろう、前述の様に不具合で心暖かい配慮に乏しい気がしてならない、情ないではないか！現況を検証し一歩でも通信機の特典を共有できる構造物通信機の礎に成れないかと目の不自由な方の入力対応可能な考案と単一な入力形ボタンをボタンの複数形設けることによる入力の効率と楽しさの効果を図りました。
【図面の簡単な説明】
【図１】仮名文字縦配列例
【図２】仮名文字横配列例
【図３】英文字一定数値２個縦配列例
【図４．５】列位置中央部文字に同一形状ボタン配し入力拠点形成例
【図１】
0003099808.tif 000003
【図２】
0003099808.tif 000004
【図３】
0003099808.tif 000005
【図４】
0003099808.tif 000006
【図５】
0003099808.tif 000007
(57)【要約】
【課題】　道路の通行面よりもマンホール蓋面の方が低い時に起きる段差、例えば厳冬期に道路の凍上によって道路面のみ盛り上がったり又は降雪地帯において積雪期の圧雪路面にできるマンホール蓋の上の雪のみ溶けることによってできるマンホール蓋部と路面との間の段差による交通障害の問題を解決したい。
【解決手段】　マンホールの蓋の直径とほぼ同じ直径を持つ円形の、ゴムまたはゴムチップを接着させて固めたマットで，厚さは数ｃｍないし１０ｃｍ程度の厚さの異なるものを数種類用意しておき、その段差に適合するものを嵌めて問題を解消する。
【選択図】図１
0003099810.tif 000002
【実用新案登録請求の範囲】
【請求項１】
鋳鉄製のマンホール蓋とほぼ同じ直径を持った円形で、厚み数ｃｍないし１０ｃｍほどのゴムまたはゴムチップを接着させて固めたマットで，道路面よりもマンホール蓋の高さのほうが低い時にできる段差を軽減するために使用するマンホール蓋部段差衝撃緩和材。
【請求項２】
冬期間の積雪地帯において圧雪路面のマンホール蓋部の雪のみが溶けてできる窪みによる段差を軽減するためにマンホール蓋の上に載せて使用する請求項１記載のマンホール蓋部段差衝撃緩和材。
【請求項３】
鋳鉄製のマンホール蓋にあけてある孔を利用してその孔に差し込んでマットが動かないように固定するための金具が取り付けてあることを特徴とする請求項１記載のマンホール蓋部段差衝撃緩和材。
【考案の詳細な説明】
【考案の詳細な説明】
【技術分野】
【０００１】　道路の交通安全を図るために使用する資材に関する。
【背景技術】
【０００２】　従来、降雪の無い寒冷地において道路の舗装厚が薄く、凍上対策が充分に行なわれて無い場合には、厳冬期に道路面は凍上によって盛り上がることがあるが、マンホール部は蓋のすぐ下に土が無いので凍上を起こさないために、道路面とマンホール蓋部との間に段差ができてしまう。又降雪地帯は降雪時に道路上に降り積もった雪が圧雪状態になり通常の道路面より路面が高くなるが、マンホール蓋の上の雪は、マンホールの下からの熱により溶けて、そこのみ陥没して窪みができることが往々にしてあった。【０００３】　路面とマンホール蓋部の段差は１０ｃｍ以上になる事もあり、著しい交通障害を引き起こす上に，車輪が段差に嵌まったときに発する騒音が周辺住民に騒音被害をもたらしたり、車両を破損するなどの事故が発生していた。そのような折には土嚢等をマンホール蓋の上に置いて一時をしのぐ事もあった。【０００４】　また道路の不陸や凹凸を改善するために、道路の舗装面の上に再舗装を重ねるうちに，道路面のみ盛り上がってゆき、道路面とマンホール蓋との間に段差ができることもあった。
【考案が解決しようとする課題】
【０００５】　道路の通行面よりもマンホール蓋面の方が低い時に起きる段差、例えば厳冬期に道路の凍上によって道路面のみ盛り上がったり又は降雪地帯において積雪期の圧雪路面にできるマンホール蓋の上の雪のみ溶けることによってできる窪みによる段差の問題を解決したい。
【課題を解決するための手段】
【０００６】　マンホールの蓋の直径とほぼ同じ直径を持ち円形のゴムまたはゴムチップを接着させて固めたマットで，厚さは数ｃｍないし１０ｃｍ程度の厚さの異なるものを数種類用意しておき、その窪みに適合するものを嵌めて段差の問題を解消する。
【作用】
【０００７】　道路面のマンホール蓋部に対応する場所にできる窪みに上記考案の段差衝撃緩和材を嵌めることにより応急的に段差を軽減することができる。
【実施例】
【０００８】　図１は雪の少ない寒冷地帯冬期間の道路の断面を示す概念図で、道路は凍上により盛り上がり、道路舗装１の表面とマンホール蓋２表面の間には段差ができている。それを解消するためにマンホールの蓋の直径とほぼ同じ直径を持ち円形のゴムまたはゴムチップを接着させて固めたマットで，厚さは数ｃｍないし１０ｃｍ程度の本考案のマンホール蓋部段差衝撃緩和材３がマンホール蓋２の上に載せてある。【０００９】　図２は積雪地帯冬期間の道路の断面を示す概念図で、道路面は圧雪状態であるが、マンホール５からの熱気でマンホール蓋２の上の雪は溶けて無く、窪みになっている。従って道路面上の圧雪６の表面とマンホール蓋２表面の間には段差ができている。そこで図１の場合と同じく本考案のマンホール蓋部段差衝撃緩和材３をマンホール蓋２の上に載せて路面の段差を軽減できる。マットは厚さの異なるものを数種類用意しておくと便利である。【００１０】　同様の事が通常の道路面の場合であっても、道路面とマンホール蓋の表面の間に段差がある時にはマンホール蓋部段差衝撃緩和材を使用することができる。
【考案の効果】
【００１１】　以上説明したように、マンホール蓋部段差衝撃緩和材を使用することにより路面とマンホール蓋部の高さの違いによってできる段差に基づく交通障害を速やかに解消する事ができる。
【図面の簡単な説明】
【図１】雪の少ない寒冷地帯冬期間の道路の断面を示す概念図。
【図２】積雪地帯冬期間の道路の断面を示す概念図。
【符号の説明】
１　道路舗装面
２　マンホール蓋
３　マンホール蓋部段差衝撃緩和材
４　凍上層
５　マンホール
６　圧雪
【図１】
0003099810.tif 000003
【図２】
0003099810.tif 000004
(57)【要約】　　
【課題】　　付け爪に本物のジュエリーや揺れるタイプのアクセサリーを装着可能にする。
【解決手段】付け爪にあらかじめ穴を開けることにより、ピアス状やペンダントトップ状のアクセサリーが装着可能になる。
【選択図】　図１
0003099818.tif 000002
【実用新案登録請求の範囲】
【請求項１】
　　本物のジュエリーや揺れるタイプのアクセサリーを装着するための穴２があらかじめ開いている、付け爪１。
【考案の詳細な説明】
【技術分野】
【０００１】
　　本考案は、本物のジュエリーや揺れるタイプのアクセサリーを装着可能にした付け爪に関するものである。
【背景技術】
【０００２】
　　現在ある付け爪は、ネイルエナメルなどでイミテーションのストーンを固定するもので、本物のジュエリーを固定したりペンダントトップのような揺れるアクセサリーを装着することはできなかった。
【考案の開示】
【考案が解決しようとする課題】
【０００３】
　　従来、付け爪に対してのアクセサリーはイミテーションのストーンなどをネイルエナメルなどで固定するだけのものであり、本物のジュエリーや揺れるタイプのアクセサリーを付け爪に装着することは不可能であった。
【課題を解決するための手段】
【０００４】
　　上記目的を達成するために、付け爪にあらかじめ穴を開けておく。
【考案の効果】
【０００５】
　　穴が開いている付け爪ならば、その穴にピアス状のジュエリーやペンダントトップ状の揺れるアクセサリーを装着することが可能になる。また、星型の穴に月型のジュエリーというふうに爪先でおしゃれを楽しむことができる。
【図面の簡単な説明】
【０００６】
【図１】穴が開いている付け爪に、ジュエリー装着状態を示した図である。
【符号の説明】
【０００７】
　　　１　付け爪
　　　２　穴
　　　３　ジュエリー
【図１】
0003099818.tif 000003
(57)【要約】
【課題】使用の時にキヤップを簡単に開閉が出来、又、開けた時容器を、破損、損傷、する事無く使うことが出来るキヤップ開閉器を開発する。
【解決手段】上部に湾曲部を形成して下方にレバー（１ａ）を有する本体（１）と、一端を湾曲部に固定し、バンド案内孔（４）を貫通し、ループを形成すると共に内側に滑り止め部材（３）を施したバンド（２）とから成り、バンド先端及びレバー（５）を貼り付けたことを特徴とするキヤップ開閉器。
【選択図】　図１
0003099853.tif 000002
【実用新案登録請求の範囲】
【請求項１】
　上部に湾曲部を形成して下方にレバ（１ａ）を有する本体（１）と、一端を湾曲部に固定し、バンド案内孔（４）を貫通してループ形成するとともに内側に滑り止め部材（３）を施したバンド（２）とから成り、バンド先端及びレバー（１ａ）内側に絡合テープ（５）を貼り付けたことを特徴とするキャップ開閉器。
【請求項２】
　レバー上部にバンド案内枠（６）を設けた請求項１記載のキヤップ開閉器。
【考案の詳細な説明】
【考案の詳細な説明】
【技術分野】
【０００１】本考案は、食卓上に置き、そのつど使用する。ビン詰め等のキヤップを開ける為の開閉器に関する。
【背景技術】
【０００２】蜂蜜、ジャム等のビン詰めの蓋を開けるのに、特に大びんを手で開けるのが。金属製のキヤップがびんに閉められて居るので、中々あかないので難儀を強いられて居る。
【考案が解決しようとする課題】
【０００３】従来の実情に鑑みて出されたもので、苦労無くキヤップを開ける事が出来る。キヤップ開閉器を提供するものである。
【課題を解決するための手段】
【０００４】上記目的を達成するために、本考案は上部に湾曲部を形成して下方にレバー（１ａ）を有する本体（１）と、一端を湾曲部に固定し、バンド案内孔（４）を貫通し、ループを形成すると供に内側に滑り止め部材（３）を施したバンド（２）、バンド先端及びレバー（１ａ）内側に絡合テープ（５）を貼り付けたキヤップ開閉器を構成する。
【考案を実施するための最良の形態】
【０００５】図１〜図３において、本体（１）は、木又はプラスチック等加工しビン等の円筒物に当たりを良くする為上部に湾曲部を設ける。下方に握りのためのレバー（１ａ）を設ける。
そして、一端を本体の湾曲部に固定し、バンド案内孔（４）を貫通してループを形成するバンド（２）を設ける。
このバンドの内側にはビン等の滑り止の為のゴム等の滑り止めの部材（３）を施す。
上記バンド案内孔（４）は、バンドがそこを貫通してループを形成するための物であり、同時にバンド（２）が本体（１）から外れるのを防止する為の物である。【０００６】本体（１）は木、アルミニューム、プラスチック等を加工した物であり、その素材にはこだわらない。又、バンド（２）は、皮、又はポリプロピレン等で、厚さ１．５ｍｍのものを裁断加工し、滑り止め部材（３）を貼り、補強として０．３ｍｍ程度のアルミニュームを施し、終端部に絡合（５）をテープを貼ったものである。
【実施例】
【０００７】本考案キヤップ開閉器は、通常のビンの場合、図１及び図３に示すように、キヤップ側（上部）に１個、底部（下部）に１個配して、合計２個で一組とすると便利である。そして食卓上にビン詰め等を置き、先ず、レバー部（１ａ）の絡号テープ（５）をはがして、バンド案内孔（４）通して、バンド（２）のループを大きな輪になるように緩める。大きな輪をビン詰めの底側（下側）で、そしてバンド（２）をビンに被せた後、絡合テープ（５）の終端を引っ張る。するとバンド（２）が滑り止め（３）及びバンド案内孔（４）をくぐりつつ、引っ張られてビン詰め等の容器外側に巻きつく、そこで、バンド（２）終端の絡号テープ）（５）を、レバー部（１ａ）で密着固定させる。
キヤップ側（上部）も上記底側と向きを反対側にして全く同様に行う。そして両手で、上下のレバー（１ａ）を握って左右方向に開かせる。すると、バンド（２）は、ループがビン詰め等のキヤップ及び底部に巻きついているので、両者の作用、反作用で嵌ったキヤップを回すことが出来る。
尚、小さなビンの場合には本案キヤップ開閉器は、１個でも良い。
【考案の効果】
【０００８】本考案キヤップ開閉器は、コンパクトで扱いやすく使うことが出来る。食卓の上に置き必要に応じて使用するものである。対象は、ガラスのような割れやすい容器や、傷が付いては困る研かれた物の容器等とすることが出来る。
【図面の簡単な説明】
【図１】本案キヤップ開閉器の全体斜視図。
【図２】本案キヤップ開閉器のバンドを開いた状態の全体斜視図。
【図３】本案キヤップ開閉器二つをビンに装着した状態の側面図。
【図４】本案キヤップ開閉器二つをビンに装着した状態の平面図。
【符号の説明】
１　　本体
１ａ　ハンドル
２　　バンド
３　　滑り止め部材
４　　バンド案内孔
５　　絡合テープ
６　　バンド案内枠
【図１】
0003099853.tif 000003
【図２】
0003099853.tif 000004
【図３】
0003099853.tif 000005
【図４】
0003099853.tif 000006
(57)【要約】【課題】内部の収納物がわかり易く複数枚の保管が可能であり、しかも自分にとって大切な書類を保管でき、自分史としても利用可能な多機能・人生の宝を永久保存する入れ物を提供する。【解決手段】二つ折りの板状に形成され、一方を表紙１とし他方を裏表紙２とし内側に、物品を収納する収納袋３を設けてある。収納袋３は、透明なビニール袋から成り、内部を透かし見ることができる。収納袋３には、入り口に閉じ具３ａが一体的に取り付けられている。閉じ具３ａは、密封可能なファスナーから成る。さらに、表紙１および裏表紙２には、着物などに使用する錦織などの布地が貼り付けてあり、高級感を出している。【選択図】　　　　図１
0003099851.tif 000002
【実用新案登録請求の範囲】
【請求項１】
二つ折りの板状に形成され、一方を表紙とし他方を裏表紙とし内側に物品を収納する収納袋を設けてあり、前記収納袋は入り口に密封可能な閉じ具を取り付けてあることを特徴とする多機能・人生の宝を永久保存する入れ物。
【考案の詳細な説明】
【０００１】
【考案の属する技術分野】
本考案は、自分自身の足跡を残し、宝物を収納するための多機能・人生の宝を永久保存する入れ物に関する。
【０００２】
【従来の技術】
従来、書類などを収納するバインダーとしては、各サイズの角封筒や書類用のバインダーなどがある。角封筒は、一般的には紙で作られており、収納部の上部に折り返しの蓋がついている。また、バインダーは、二つ折りのものが多く、内部に種類を挟み込むための金具などを取り付けてある。
【０００３】
【考案が解決しようとする課題】
しかしながら、上述した従来のバインダーは、角封筒においては、一般に不透明な紙製であり、内部の収納物がわかりにくく、複数枚入れておくと一層わかりにくいという問題があった。また、バインダーにおいては、角封筒よりはわかりやすいが、収納枚数が限られるとともに厚みのあるものは収納しにくく、使い勝手が悪いという問題があった。
【０００４】
ところで、賞状や卒業証書などは、紙製の筒に収納されることが多い。しかしながら、筒に収納した場合、１本の筒に１枚の賞状などが収納されるため、かさばるとともに、いちいち蓋をあけなければ中身を確認できないという課題があった。
【０００５】
本考案は、前記のような課題に着目してなされたもので、内部の収納物がわかり易く複数枚の保管が可能であり、しかも自分にとって大切な足跡ないしは自分自身の宝とするものを永久保管でき、自分史としても利用可能な多機能・人生の宝を永久保存する入れ物を提供することを目的としている。
【０００６】
【課題を解決するための手段】
上記目的を達成するために、本考案に係る多機能・人生の宝を永久保存する入れ物は、二つ折りの板状に形成され、一方を表紙とし他方を裏表紙とし内側に物品を収納する収納袋を設けてあり、前記収納袋は入り口に密封可能な閉じ具を取り付けてあることを特徴とする。
本考案に係る多機能・人生の宝を永久保存する入れ物は、自分に大切な通信簿や卒業証書類もまとめて保管可能であり、自分史としても利用可能となる。本考案に係る多機能・人生の宝を永久保存する入れ物は、前記収納袋の入り口に密封可能な閉じ具を取り付けてあるので、内部の収納物を落としたり紛失してしまうことなく長期間大切に保管できる。
【０００７】
さらに、本考案に係る多機能・人生の宝を永久保存する入れ物は、表紙および裏表紙が着物地などの布地で装丁してあってもよい。それにより、多機能・人生の宝を永久保存する入れ物に高級感を与え、大切な文書類を保管していることが一目でわかる。
【０００８】
【考案の実施の形態】
以下、図１および図２を参照して、本考案に係る多機能・人生の宝を永久保存する入れ物の実施の形態について説明する。
図１および図２は本考案の多機能・人生の宝を永久保存する入れ物を示す斜視図である。この多機能・人生の宝を永久保存する入れ物は、二つ折りの板状に形成された見開き型バインダーから成り、一方を表紙１とし他方を裏表紙２とし、内側に物品を収納する収納袋３を設けてある。収納袋３は、裏表紙２に固着されている。
【０００９】
収納袋３は、透明な軟質のビニール袋から成り、内部を透かし見ることができる。収納袋３には、表面に内部の収容物の一覧を示すメモ欄を貼り付けておいてもよい。この収納袋３には、入り口に閉じ具３ａが一体的に取り付けられている。閉じ具３ａは、収納袋３を密封可能なファスナーから成る。さらに、表紙１および裏表紙２には、着物などに使用する錦織などの布地が貼り付けてあり、高級感を出している。表紙１には、「卒業記念」、「自分史」などのタイトルや名前などを刺繍してある。
【００１０】
この多機能・人生の宝を永久保存する入れ物は、表紙１の裏側に自分の人生に最も影響を与えた格言や人生訓などを書いた色紙４が貼り付けてあり、多機能・人生の宝を永久保存する入れ物を開いたときに一目で見られるようになっている。この収納袋３には、賞状や卒業証書その他の大切な書類、通信簿、大切な写真など様々なものをまとめて収納し保管可能である。
【００１１】
このように構成された多機能・人生の宝を永久保存する入れ物により、裏表紙２側の収納袋３に自分が生きてきた上での記念となる大切な書類や区切りとなる証書、拡大した写真などを収納して閉じ具３ａで密封しておく。閉じ具３ａで収納袋３を密封することにより、内部の収納物を落としたり紛失してしまうことなく長期間大切に永久保管できる。収納袋３の内部は、真空にしておくこともできる。
【００１２】
表紙１または裏表紙２の裏側には自分の人生に最も影響を与えた座右の銘、格言や人生訓などを書いた色紙４を貼り付けておく。こうして、この見開き形収納具を、自分だけの自分史としても利用できるものである。自分の人生の歩いた足跡につまづいたとき、自分の足跡を振り返り、自分の道を前に進むためにしるべとして自分を励まし、目的を達成する実績の道を暖かく見て転ばぬ先の杖とするのにも利用できる。子孫に自分の実績を残したり子供への未来にも証拠として残したりでき、子供自身が生き残るために世間の人たちから受け継いだものを恩師として残すことも可能である。なお、この多機能・人生の宝を永久保存する入れ物は、Ａ３や、Ａ４、Ｂ５サイズのほか、内部に収容する収容物により種々のサイズに製造することができる。
【００１３】
【考案の効果】
本考案の多機能・人生の宝を永久保存する入れ物は、内部の収納物がわかり易く複数枚の保管が可能であり、しかも自分にとって大切な書類を保管でき、自分史としても利用できるものである。
【図面の簡単な説明】
【図１】本考案の多機能・人生の宝を永久保存する入れ物の開いた状態を示す斜視図である。
【図２】図１の多機能・人生の宝を永久保存する入れ物の閉じた状態を示す斜視図である。
【符号の説明】
１　　表紙
２　　裏表紙
３　　収納袋
３ａ　閉じ具
４　　色紙
【図１】
0003099851.tif 000003
【図２】
0003099851.tif 000004